(57)【要約】      （修正有）【課題】マスク本体が唾液、鼻水あるいは口紅で汚れることがなく、しかも口唇の廻りや鼻梁に痕跡が残らないようにしたマスクを提供する。【解決手段】マスクを両側の耳掛け(12)を有するマスク本体(11)とマウスパット(20)とから構成する。マスク本体の口唇及び鼻梁を覆いかつ口唇に対応する部位にはマウスパットの外表面と嵌まり合う椀状部分(13)を設ける。マウスパット(20)はパット本体(21)と補強帯(22)とから構成し、マスク本体の椀状部分に着脱可能に取付ける。パット本体は通気性を有するとともに皮膚に痕跡を残さない軟らかさの紙を用いて口唇を覆いかつ開け閉めされる口唇との間に隙間が構成される椀状に製作し、補強帯はパット本体に固着することによりマスク本体の押しつけ力に抗してパット本体の椀形状を保持させる。【選択図】図１
0003117742.tif 000002
【実用新案登録請求の範囲】
【請求項１】
口唇及び鼻梁を覆うマスクにおいて、
通気性を有する素材を用いて製作され、両側に耳掛けが取付けられ、口唇及び鼻梁を覆いかつ口唇に対応する部位に後述のマウスパットの外表面と嵌まり合う椀状部分が設けられたマスク本体と、
該マスク本体の椀状部分に着脱可能に取付けられ、パット本体と補強帯とから構成され、上記パット本体は通気性を有するとともに皮膚に痕跡を残さない軟らかさの紙を用いて口唇を覆いかつ開け閉めされる口唇との間に隙間が構成される椀状に製作され、上記補強帯は上記パット本体に固着されて上記マスク本体の押しつけ力に抗して上記パット本体の椀形状を保持するようになっているマウスパットと、
を備えたことを特徴とするマスク。
【請求項２】
上記補強帯は厚紙を用いて帯状に製作されている請求項１記載のマスク。
【請求項３】
上記補強帯は上記パット本体に該パット本体の横幅方向に延びかつ湾曲されて固着されることにより上記マスク本体の押しつけ力に抗して上記パット本体の椀形状を保持するようになっている請求項１又は２記載のマスク。
【請求項４】
上記補強帯はその両端部が上記パット本体より側方に突出して上記マスク本体への取付け部位となっている請求項３記載のマスク。
【請求項５】
上記マウスパットは両面粘着テープによって上記マスク本体の椀状部分の内面に着脱可能に貼着されるようになっている請求項１記載のマスク。
【考案の詳細な説明】
【技術分野】
【０００１】
本考案はマスクに関し、特にマスク本体が唾液、鼻水あるいは口紅で汚れることがなく、しかも口唇の廻りや鼻梁に痕跡が残らないようにしたマスクに関する。
【背景技術】
【０００２】
例えば、風邪をひいた場合、汚れた空気や冷気あるいは花粉などを吸い込むのを避けたい場合、マスクを用いることが多い。このマスクではガーゼや紙を素材として用い、素材を四角形状に製作し、マスク本体の両側にゴム紐製や紐製の耳掛けを取付け、耳掛けを両耳に引っ掛けてマスク本体で鼻梁及び口唇を覆うようになっている。
【０００３】
しかし、マスク本体はガーゼや紙で製作されて比較的軟らかく、顔面の立体形状に対応して変形し得るものの、マスク本体が鼻水や唾液で汚れ、又女性の場合には口紅がマスク本体の内面に付着するという不具合がある。
【０００４】
これに対し、マスク本体の内面にガーゼを当てて使用し、当てガーゼが鼻水、唾液、口紅で汚れたときに当てガーゼを交換することが行われているが、当てガーゼはマスク本体からずれやすく、ずれると違和感があった。
【０００５】
他方、マスク本体と口唇や鼻梁との間に、筒状、リング状あるいは半球凹状などの立体的な形状を保持し得る当て部材を介在させ、マスク本体と口唇との間に隙間を構成し、マスク本体が鼻水、唾液、口紅で汚れるのを軽減するようにしたマスクも提案されている（特許文献１、特許文献２、特許文献３）。
【０００６】
【特許文献１】実用新案登録第３１１０５６７号公報
【特許文献２】実用新案登録第２５３６７７２号公報
【特許文献３】実公平０２−１０２２５７号公報
【考案の開示】
【考案が解決しようとする課題】
【０００７】
しかし、特許文献１〜３記載のマスクでは何らかの都合で顔からマスクを外すと、口唇の廻りや鼻梁に当て部材の痕跡が残ってしまい、特に女性の場合には痕跡を他人に知られるのは心理的な負担が大きい。
【０００８】
本考案はかかる問題点に鑑み、マスク本体が唾液、鼻水あるいは口紅で汚れることがなく、しかも口唇の廻りや鼻梁に痕跡が残らないようにしたマスクを提供することを課題とする。
【課題を解決するための手段】
【０００９】
そこで、本考案に係るマスクは、口唇及び鼻梁を覆うマスクにおいて、通気性を有する素材を用いて製作され、両側に耳掛けが取付けられ、口唇及び鼻梁を覆いかつ口唇に対応する部位に後述のマウスパットの外表面と嵌まり合う椀状部分が設けられたマスク本体と、該マスク本体の椀状部分に着脱可能に取付けられ、パット本体と補強帯とから構成され、上記パット本体は通気性を有するとともに皮膚に痕跡を残さない軟らかさの紙を用いて口唇を覆いかつ開け閉めされる口唇との間に隙間が構成される椀状に製作され、上記補強帯は上記パット本体に固着されて上記マスク本体の押しつけ力に抗して上記パット本体の椀形状を保持するようになっているマウスパットと、を備えたことを特徴とする。
【００１０】
本考案の特徴の１つはマスク本体に椀状のマウスパットを取付け、マウスパットによって隙間をあけて口唇を覆うようにした点にある。
【００１１】
これにより、マスク本体が鼻水、唾液又は口紅で汚れるのを防止でき、又マウスパットが当てガーゼのようにずれないので、違和感を感じることもない。
【００１２】
また、マスク本体の椀状部分に椀状のマウスパットを嵌め込むようにしたので、マスク本体からの押しつけ力はマウスパットの特定の部位に偏って加わることはなく、マウスパットの全体に均等に加わる。
【００１３】
しかも、マウスパットは口唇を覆う大きさであり、鼻梁を覆わないので、マウスパットの外周縁は口唇の廻りに均等に接する。
【００１４】
さらには、マウスパットのパット本体を軟らかい紙を用いて製作している結果、上述のマスク本体からの押しつけ力が均等に分散されること、及びマウスパットの外周縁が口唇の廻りに均等に接することと相まって口唇の廻りにはマウスパットの痕跡が残ることはない。
【００１５】
また、マウスパットのパット本体を軟らかい紙を用いて製作しているが、パット本体に補強帯を固着しているので、マスク本体からの押しつけ力に抗してパット本体の椀形状を確実に保持でき、これによってパット本体と口唇との間の隙間を維持でき、口唇の円滑な開閉が阻害されることはない。なお、マウスパットが汚れた場合には例えば後述のように両面粘着テープによって貼着することにより交換できるように構成するのがよい。
【００１６】
補強帯はパット本体の椀形状を維持できれば特にその材質は限定されないが、マスクの軽量性を考慮すると、厚紙を用いて帯状に製作するのがよい。
【００１７】
また、補強帯は複数を縦方向に延びかつ相互に間隔をあけて配置し、マスク本体の押しつけ力に抗してパット本体の椀形状を保持するようにしてもよいが、マウスパットの通気性が阻害されるおそれがある。そこで、補強帯はパット本体にパット本体の横幅方向に延びかつ湾曲されて固着し、これによってマスク本体の押しつけ力に抗してパット本体の椀形状を保持するように構成するのがよい。
【００１８】
マウスパットはマスク本体に取付ける必要があるが、パット本体は軟らかい紙で製作され、取付け難いことが懸念される。そこで、補強帯の両端部をパット本体より側方に突出させ、マスク本体への取付け部位とすると、軟らかいマウスパットを確実にマスク本体に取付けることができる。
【００１９】
マウスパットはマスク本体に縫合してもよいが、上述のように交換できるように、両面粘着テープによってマスク本体の椀状部分の内面に着脱可能に貼着するのがよい。
【００２０】
マスク本体の素材は通気性かあれば特に限定されず、公知のガーゼや紙を用いることができる。また、マスク本体は口唇に対応する部位にマウスパットの外表面と嵌まり合う椀状部分を設けるのが重要である。椀状部分はマスク本体を製造時に立体加工するようにしてもよく、又マスク本体に横方向に延びる襞を形成しておき、襞を伸ばすことによって椀状部分を形成するようにしてもよい。
【考案を実施するための最良の形態】
【００２１】
以下、本考案を図面に示す具体例に基づいて詳細に説明する。図１ないし図４は本考案に係るマスクの好ましい実施形態を示す。図において、マスク１０の本体１１はガーゼ（又は通気性のある紙）を重ねて四角形状に縫合して製作され、マスク本体１１の両側部分にはリング状の耳掛けゴム（耳掛け）１２が取付けられている。なお、耳掛けは紐でもよく、又結ぶタイプとしてもよい。
【００２２】
マスク本体１１の下半部には椀状の部分１３がマスク本体１１の製作時にガーゼ又は紙の一部を重ねて襞を形成しこれを広げることにより形成され、又マスク本体１１の椀状部分１３にはマウスパット２０が嵌め込んで取付けられている。
【００２３】
マウスパット２０はパット本体２１と補強帯２２とから構成され、パット本体２１は比較的軟らかい１枚又は複数枚の紙を用いて椀状に折り曲げて形成され、パット本体２１には通気孔２３が適切な位置に形成されて通気性が付与され、又補強帯２２は厚紙を用いて帯状に製作され、パット本体２１の横幅方向に延びてパット本体２１の内面に接着剤を用いて接着され、ほほ円弧状に湾曲されてマスク本体１１からの押しつけ力に抗してパット本体２１の椀形状を保持するようになっている。
【００２４】
また、補強帯２２の両端部はマスク本体１１の側方に突設され、突設部分には両面粘着テープ２４が貼着され、又パット本体２１の外表面中央には両面粘着テープ２４が上下３段に貼着されており、これらの両面粘着テープ２４によってマウスパット２０はマスク本体１１の椀状部分１３内面に貼着されている。
【００２５】
マスク１０を使用する場合、図３に示されるように、マスク本体１１で口唇及び鼻梁を覆うようにマスク１０を顔面に当て、耳掛けゴム１２を両耳に引っ掛ける。
【００２６】
すると、図４に示されるように、マスク本体１１に取付けられたマウスパット２０が隙間をあけて口唇を覆うので、口唇を開閉しても口唇がマウスパット２０に触れることは少なく、マウスパット２０が唾液、鼻水あるいは口紅で汚れることも少ない。
【００２７】
また、マウスパット２０は両面粘着テープ２４でマスク本体１１の椀状部分１３に貼着されているので、唾液などによって汚れても新しいマウスパット２０と交換することができる。
【００２８】
また、マスク本体１１の椀状部分１３内にマウスパット２０を嵌め込むようにしたので、マスク本体１１からの押しつけ力はマウスパット２０の特定の部位に偏って加わることはなく、全体に均等に加わる。しかも、マウスパット２０は口唇を覆う大きさであり、鼻梁を覆わないので、マウスパット２０の外周縁は口唇の廻りに均等に接する。さらには、マウスパット２０のパット本体２１が軟らかい紙を用いて製作され、マウスパット２０の外周縁は少し変形して帯状の面で口唇の廻りに接する。その結果、マスク１０を外しても口唇の廻りにはマウスパット２０の痕跡が残ることはなく、この種のマスク１０を使用する心理的な負担を軽減できる。
【００２９】
また、マウスパット２０では軟らかい紙のパット本体２１に厚紙製の補強帯２２を貼着しているので、マスク本体１１からの押しつけ力に抗してパット本体２１の椀形状を確実に保持できる。その結果、パット本体２１と口唇との間の隙間を維持できる。
【図面の簡単な説明】
【００３０】
【図１】本考案に係るマスクの好ましい実施形態を示す分解斜視図である。
【図２】上記実施形態におけるマウスパットを示す図である。
【図３】上記実施形態の使用例を示す図である。
【図４】上記実施形態における作用を説明するための図である。
【符号の説明】
【００３１】
１０      マスク
１１      マスク本体
１２      耳掛けゴム（耳掛け）
１３      椀状部分
２０      マウスパット
２１      パット本体
２２      補強帯
２３      通気孔
２４      両面粘着テープ
【図１】
0003117742.tif 000003
【図２】
0003117742.tif 000004
【図３】
0003117742.tif 000005
【図４】
0003117742.tif 000006